(57)【要約】【課題】ケーブルやメモリーカードなどの被接続体のコネクター２への接続状態を目視により確認可能であって、接続作業後の導通確認を行う必要がないコネクターへの接続構造を提供すること。【解決手段】コネクター２のコネクター本体４に確認用開口窓部８を開けること、ケーブルなど被接続体（フレキシブルケーブル３）の被接続体本体１０に確認用着色部１２を設けることに着目したもので、被接続体３をコネクター２に接続するためのコネクターへの接続構造であって、コネクター２のコネクター本体４に確認用開口窓部８を貫通して形成するとともに、被接続体３がコネクター２に接続した状態で、この確認用開口窓部８を通して目視可能な確認用着色部１２を被接続体３の被接続体本体１０に設けたことを特徴とする。【選択図】図１
2008027663.tif 000002
【特許請求の範囲】
【請求項１】
被接続体をコネクターに接続するためのコネクターへの接続構造であって、
前記コネクターのコネクター本体に確認用開口窓部を貫通して形成するとともに、
前記被接続体が前記コネクターに接続した状態で、この確認用開口窓部を通して目視可能な確認用着色部を前記被接続体の被接続体本体に設けたことを特徴とするコネクターへの接続構造。
【請求項２】
前記確認用開口窓部の縁部あるいは前記確認用着色部の少なくともいずれか一方が螢光発光可能としてあることを特徴とする請求項１記載のコネクターへの接続構造。
【請求項３】
前記確認用着色部は、前記被接続体が前記コネクターに接続した状態で、前記コネクター本体内に位置する長さを有することを特徴とする請求項１記載のコネクターへの接続構造。
【発明の詳細な説明】
【技術分野】
【０００１】
本発明はコネクターへの接続構造にかかるもので、とくに、たとえばプリンターその他各種の電気機器においてケーブルその他の被接続体をコネクターに接続するためのコネクターへの接続構造に関するものである。
【背景技術】
【０００２】
従来、たとえばフレキシブルケーブルなどのケーブルをコネクターに接続する際に、このフレキシブルケーブルがコネクターに確実に電気的に接続しているか否かについて目視による確認は不可能であった。
したがって、接続操作後に電気を実際に通電することにより、導通確認を行う必要があるという問題がある。
【０００３】
さらに、電気機器によっては、その比較的奥まった薄暗い、ないしは狭い空間部にコネクターの接続部がある場合に、ケーブルなどを接続したことを確認しにくいという問題がある。
【０００４】
このような問題は、工場における各種の電気機器の組立て工程において発生することはもちろん、電気機器のユーザーが分解組み立てを行ったり、保守点検時における接続作業時にも発生するものである。
【０００５】
なお、フレキシブルケーブル以外にも、たとえばプリンターなどに用いられるメモリーカードであって、印字データその他のデータを保存するためのメモリーカードなどの被接続体をプリンター本体のコネクター部分に着脱する際にも、上述したフレキシブルケーブルなどと同様に、電気的な接続が確実に行われたかの判別が困難であるという問題がある。
【０００６】
【特許文献１】実用新案登録第３０９１６１７号公報
【発明の開示】
【発明が解決しようとする課題】
【０００７】
本発明は以上のような諸問題にかんがみなされたもので、ケーブルやメモリーカードなどの被接続体のコネクターへの接続状態を目視により確認可能なコネクターへの接続構造を提供することを課題とする。
【０００８】
また本発明は、接続作業後の導通確認を行う必要がないコネクターへの接続構造を提供することを課題とする。
【０００９】
また本発明は、コネクターの部分において接続状態を目視により確認することができるコネクターへの接続構造を提供することを課題とする。
【００１０】
また本発明は、電気機器内の比較的奥まった空間部でも被接続体のコネクターへの接続確認が可能なコネクターへの接続構造を提供することを課題とする。
【課題を解決するための手段】
【００１１】
すなわち本発明は、コネクターのコネクター本体に確認用開口窓部を開けること、ケーブルなど被接続体の被接続体本体に確認用着色部を設けることに着目したもので、被接続体をコネクターに接続するためのコネクターへの接続構造であって、上記コネクターのコネクター本体に確認用開口窓部を貫通して形成するとともに、上記被接続体が上記コネクターに接続した状態で、この確認用開口窓部を通して目視可能な確認用着色部を上記被接続体の被接続体本体に設けたことを特徴とするコネクターへの接続構造である。
【００１２】
上記確認用開口窓部の縁部あるいは上記確認用着色部の少なくともいずれか一方が螢光発光可能としてあることができる。
【００１３】
上記確認用着色部は、上記被接続体が上記コネクターに接続した状態で、上記コネクター本体内に位置する長さを有することができる。
【００１４】
上記確認用開口窓部および上記確認用着色部の形状や大きさ、ないし相対的な大きさなどは任意である。
さらに、上記確認用着色部は、上記被接続体本体が上記コネクター本体に確実に挿入されて電気的な接続が実現したことを確認することができる態様であれば、上記コネクター本体および上記被接続体本体の地色と異なる色であってもよいし、地色と同じ色であっても上記被接続体本体がコネクター本体内に挿入接続の前後において上記確認用開口窓部における色の状態が変化する構成であればよく、任意の目視し易い色を採用することができる。
【発明の効果】
【００１５】
本発明によるコネクターへの接続構造においては、コネクターのコネクター本体に確認用開口窓部を開けるとともに、被接続体の被接続体本体にこの確認用開口窓部に対向する確認用着色部を設けたので、従来どおりの被接続体のコネクターへの接続作業により、確認用着色部が確認用開口窓部を外部から目視可能となった状態で、両者の接続を簡単かつ確実に確認することができる。
【発明を実施するための最良の形態】
【００１６】
本発明は、確認用開口窓部および確認用着色部の形成という簡単な構成により、従来どおりの単純な挿入接続操作および目視確認により、コネクターへの電気的接続状態を確認することができるコネクターへの接続構造を実現した。
【実施例】
【００１７】
つぎに本発明の実施例によるコネクターへの接続構造１を図１および図２にもとづき説明する。
図１は、コネクターへの接続構造１の分解斜視図、図２は、図１のＩＩ−ＩＩ線断面図であって、コネクターへの接続構造１は、コネクター２にケーブルたとえばフレキシブルケーブル３（被接続体）を接続するものである。
【００１８】
コネクター２は、コネクター本体４と、コネクター電極５（図２）と、を有し、コネクター電極５につながる他のケーブル６あるいはサーマルヘッドその他の部品（図示せず）にこれを接続してある。
【００１９】
コネクター本体４は、その側面に断面細長矩形状の差込み開口部７を有し、その最内部にコネクター電極５を配置している。
さらに、コネクター本体４の上部表面の目視しやすい所定部位には、たとえば正方形状の確認用開口窓部８を貫通して形成している。
なお、この確認用開口窓部８の周縁部全体、あるいは少なくともその一縁部（たとえば最奥部の縁部あるいは最浅部など任意の縁部）には、蛍光発光部９を形成している。
蛍光発光部９の形成手段としては、蛍光剤を塗布するか、蛍光テープを貼るか、その他任意の手段を採用可能である。
【００２０】
フレキシブルケーブル３は、ケーブル本体１０（被接続体本体）と、コネクター電極５に係合して電気的に接続するケーブル電極１１と、を有し、ケーブル本体１０の表面における所定部位にケーブル本体１０の表面の地色とは異なる色による確認用着色部１２を形成している。
確認用着色部１２は、任意の形状たとえば図示の例では長方形状であって、任意の塗料あるいはテープなどにより識別しやすい任意の色、たとえば赤系統の色その他を採用することができるとともに、好ましくは確認用開口窓部８（蛍光発光部９）と同様に螢光テープなどにより蛍光発光可能な状態とすることができる。
【００２１】
なお、確認用着色部１２の形成位置としては、図２に示すように、ケーブル本体１０のケーブル電極１１がコネクター本体４のコネクター電極５に完全に係合して電気的に接続状態を確保したときに、確認用着色部１２の先端部１２Ａ（コネクター本体４内方への進入先端部）が完全に確認用開口窓部８内に位置して、確認用開口窓部８の最奥部８Ａ部分の位置に一致するようにケーブル電極１１がコネクター電極５に突き当たり、ケーブル本体１０の表面の地色およびコネクター本体４の内壁面の地色が見えなくなり、確認用開口窓部８全体が確認用着色部１２の色に変化するような位置とする。
また、確認用着色部１２の長さ（先端部１２Ａから後端部１２Ｂまでの長さ）は、その後端部１２Ｂがコネクター本体４の差込み開口部７内にちょうど隠れるような長さとすることにより、確認用開口窓部８における確認用着色部１２の目視確認作業とともに、差込み開口部７において後端部１２Ｂがコネクター本体４にちょうど隠れることを目視確認するように構成することもできる。
【００２２】
こうした構成のコネクターへの接続構造１において、フレキシブルケーブル３のケーブル本体１０をコネクター２のコネクター本体４の差込み開口部７から挿入し、ケーブル電極１１をコネクター電極５に係合して電気的接触状態を実現すると、ケーブル本体１０の確認用着色部１２がコネクター本体４の確認用開口窓部８全体の色を変化させたことを目視することができ、確認用開口窓部８の色の状態を検査することにより、すなわち、たとえば確認用開口窓部８が赤色となれば、コネクター２とフレキシブルケーブル３との接続状態を実現したことを確認することができる。
【００２３】
なお、確認用開口窓部８の周縁部には、蛍光発光部９を形成してあるので、コネクター２が設けられている電気機器の内部が多少薄暗くても、あるいは狭くても、フレキシブルケーブル３の挿入位置を探し当てることが容易であるとともに、その結合状態および目視確認作業を行いやすくすることができる。
【００２４】
かくして、コネクター２にフレキシブルケーブル３を接続するにあたって、その電気的接続状態を確認用開口窓部８における確認用着色部１２の状態を目視により判断することができるので、簡単な確認操作を実現可能であるとともに、従来のように接続操作後の導通確認工程が不要であって、作業能率の向上に寄与することができる。
【産業上の利用可能性】
【００２５】
本発明においては、被接続体として、上述のフレキシブルケーブル３以外にも、プリンターなどのコネクター部分に着脱する平板状のメモリーカードを同コネクター部分に挿入接続する際にも、上記実施例と同様の構成を採用することもできる。
【図面の簡単な説明】
【００２６】
【図１】本発明の実施例によるコネクターへの接続構造１の分解斜視図である。
【図２】同、図１のＩＩ−ＩＩ線断面図である。
【符号の説明】
【００２７】
１  コネクターへの接続構造（実施例）
２  コネクター
３  フレキシブルケーブル（被接続体）
４  コネクター本体
５  コネクター電極
６  他のケーブル
７  差込み開口部
８  確認用開口窓部
８Ａ  確認用開口窓部８の最奥部
９  蛍光発光部
１０  ケーブル本体
１１  ケーブル電極
１２  確認用着色部
１２Ａ  確認用着色部１２の先端部（コネクター本体４内方への進入先端部）
１２Ｂ  確認用着色部１２の後端部
【図１】
2008027663.tif 000003
【図２】
2008027663.tif 000004